(57)【要約】【課題】従来の市区町村防災デジタル同報無線システムでは、拡声放送を行う際、６スロット中、制御チャネルを含めて５スロットを使用しており、スロットに空きが無く、同時に１つの放送しか行うことが出来なかった。【解決手段】拡声受信装置３，５は、音声を録音可能なメモリ装置３１，５１を含む。戸別受信機４，６は、音声を録音可能なメモリ装置４１，６１を含む。メモリ装置３１，４１，５１，６１には、各々異なる内容の音声情報を録音しておく。操作卓１からの指令により親局無線装置２から送出される制御信号により、メモリ装置３１，４１，５１，６１に録音された音声を再生する。よって、回線不足を発生すること無く、同時に拡声受信装置毎、戸別受信機毎に異なる内容の音声放送を行うことが出来る。【選択図】図１
2009296205.tif 000002
【特許請求の範囲】
【請求項１】
操作卓と、
前記操作卓からの指令に応じて制御信号を無線で出力する親局無線装置と、
各々が、互いに異なる内容の音声情報を音声音源として収録する記憶装置を有する、複数の拡声受信装置とを備えており、
前記複数の拡声受信装置の各々は、前記親局無線装置より受信した前記制御信号の制御チャネルに入力されている音声放送開始の指令を用いて、前記記憶装置に収録された音声音源を再生して音声放送を行うことを特徴とする、
市区町村防災デジタル同報無線システム。
【請求項２】
操作卓と、
前記操作卓からの指令に応じて制御信号を無線で出力する親局無線装置と、
各々が、互いに異なる内容の音声情報を収録する記憶装置を有する、複数の拡声受信装置とを備えており、
各拡声受信装置の前記記憶装置は、当該記憶装置の前記音声情報として、互いに異なる内容の複数の音声音源を記憶しており、
前記複数の拡声受信装置の各々は、前記親局無線装置より受信した前記制御信号の制御チャネル内に入力されている放送番号と当該放送番組の音声放送の開始指令とを用いて、前記記憶装置に記憶されている前記複数の音声音源から前記放送番号に対応した一つの音声音源を選択して再生することで、選択された音声音源の音声放送を行うことを特徴とする、
市区町村防災デジタル同報無線システム。
【請求項３】
請求項２記載の市区町村防災デジタル同報無線システムであって、
前記操作卓からの指令に応じて前記親局無線装置が、新たに収録した音声音源と、更新対象の拡声受信装置の番号と、更新対象の放送番号とを与えるデータ伝送信号を出力すると、
前記データ伝送信号を受信した前記複数の拡声受信装置の各々は、当該拡声受信装置の番号が前記更新対象の拡声受信装置の番号と一致するか否かの判定を行い、一致する場合には、当該拡声受信装置の前記記憶装置に記憶されている前記複数の音声音源の中から前記更新対象の放送番号に対応する音声音源を前記新たに収録した音声音源に書き換えることを特徴とする、
市区町村防災デジタル同報無線システム。
【請求項４】
操作卓と、
前記操作卓からの指令に応じて制御信号を無線で出力する親局無線装置と、
各々が、互いに異なる内容の音声情報を収録する記憶装置及び選択部を有する、複数の拡声受信装置とを備えており、
各拡声受信装置の前記記憶装置は、当該記憶装置の前記音声情報として、少なくとも一つの音声音源を記憶しており、
各拡声受信装置の前記選択部は、拡声パターンと、当該拡声受信装置の前記記憶装置が記憶している音声音源との対応関係を規定する変換テーブルを有しており、
前記複数の拡声受信装置の各々の前記選択部は、前記親局無線装置より受信した前記制御信号の制御チャネル内に入力されている拡声パターンに対応する音声音源を前記変換テーブルより選択し、選択した音声音源を当該拡声受信装置の前記記憶装置より読み出し、当該拡声受信装置は前記記憶装置より読み出された音声音源を再生することで、選択された音声音源の音声放送を行うことを特徴とする、
市区町村防災デジタル同報無線システム。
【請求項５】
操作卓と、
前記操作卓からの指令に応じて制御信号を無線で出力する親局無線装置と、
各々が、互いに異なる内容の音声情報を音声音源として収録する記憶装置を有する、複数の戸別受信機とを備えており、
前記複数の戸別受信機の各々は、前記親局無線装置より受信した前記制御信号の制御チャネルに入力されている音声放送開始の指令を用いて、前記記憶装置に収録された音声音源を再生して音声放送を行うことを特徴とする、
市区町村防災デジタル同報無線システム。
【請求項６】
操作卓と、
前記操作卓からの指令に応じて制御信号を無線で出力する親局無線装置と、
各々が、互いに異なる内容の音声情報を収録する記憶装置を有する、複数の戸別受信機とを備えており、
各戸別受信機の前記記憶装置は、当該記憶装置の前記音声情報として、互いに異なる内容の複数の音声音源を記憶しており、
前記複数の戸別受信機の各々は、前記親局無線装置より受信した前記制御信号の制御チャネル内に入力されている放送番号と当該放送番組の音声放送の開始指令とを用いて、前記記憶装置に記憶されている前記複数の音声音源から前記放送番号に対応した一つの音声音源を選択して再生することで、選択された音声音源の音声放送を行うことを特徴とする、
市区町村防災デジタル同報無線システム。
【請求項７】
請求項６記載の市区町村防災デジタル同報無線システムであって、
前記操作卓からの指令に応じて前記親局無線装置が、新たに収録した音声音源と、更新対象の戸別受信機の番号と、更新対象の放送番号とを与えるデータ伝送信号を出力すると、
前記データ伝送信号を受信した前記複数の戸別受信機の各々は、当該戸別受信機の番号が前記更新対象の戸別受信機の番号と一致するか否かの判定を行い、一致する場合には、当該戸別受信機の前記記憶装置に記憶されている前記複数の音声音源の中から前記更新対象の放送番号に対応する音声音源を前記新たに収録した音声音源に書き換えることを特徴とする、
市区町村防災デジタル同報無線システム。
【請求項８】
操作卓と、
前記操作卓からの指令に応じて制御信号を無線で出力する親局無線装置と、
各々が、互いに異なる内容の音声情報を収録する記憶装置及び選択部を有する、複数の戸別受信機とを備えており、
各戸別受信機の前記記憶装置は、当該記憶装置の前記音声情報として、少なくとも一つの音声音源を記憶しており、
各戸別受信機の前記選択部は、拡声パターンと、当該戸別受信機の前記記憶装置が記憶している音声音源との対応関係を規定する変換テーブルを有しており、
前記複数の戸別受信機の各々の前記選択部は、前記親局無線装置より受信した前記制御信号の制御チャネル内に入力されている拡声パターンに対応する音声音源を前記変換テーブルより選択し、選択した音声音源を当該戸別受信機の前記記憶装置より読み出し、当該戸別受信機は前記記憶装置より読み出された音声音源を再生することで、選択された音声音源の音声放送を行うことを特徴とする、
市区町村防災デジタル同報無線システム。
【発明の詳細な説明】
【技術分野】
【０００１】
この発明は、親局装置から無線により通報された情報を、子局設備に於いて受信して拡声放送を行う、市区町村防災デジタル同報無線システムに関する。
【背景技術】
【０００２】
防災行政無線システムの一例である市区町村防災デジタル同報無線システムに於いては、親局装置は、音声又はデータ等の信号を、一斉に、選択呼出にて子局設備へ通報する。この信号を受信した子局設備は、通報された内容を、スピーカ、文字表示装置、及び情報端末等に出力し、地域住民へ通報された情報を伝達する。
【０００３】
同システムに於いて、親局装置側の操作卓から入力された音声は、親局無線装置によって、符号化された上で各子局に対して音声データとして伝達される。各子局に於いては、伝達された音声データを復号化し、音声として地域住民へ通報を行う。
【０００４】
従来の市区町村防災デジタル同報無線システムは、ＴＤＭＡ−ＴＤＤ方式により、１つの周波数（例えば６０ＭＨｚ）に於いて、６つに時分割されたタイムスロットを有する。
【０００５】
ここで、図１０は、従来の市区町村防災デジタル同報無線システムに於ける親局無線装置によって同一回線上に伝送される符号化信号の１フレームの構成を示す図である。図１０に於いては、無線キャリア上の多重数は６であり、６スロット長（８０ｍｓ）が「基本フレーム」とされる。
【０００６】
拡声放送時には、スロット０（ＣＨ０）は「制御用スロット」として使用され、スロット１、２、４、５（ＣＨ１、ＣＨ２、ＣＨ４、ＣＨ５）は音声データを伝送するための「通信用スロット」として使用されている。
【０００７】
「通信スロット」には、Ｓ方式ＣＯＤＥＣにより符号化された音声符号が挿入される。親局装置側の操作卓から入力された音声信号は、周波数１６ｋＨｚのサンプリング信号によってサンプリングされ、操作卓に接続された親局無線装置は、３２０サンプルを「フレーム単位」として、音声符号化を行う。
【０００８】
親局無線装置は、音声符号化によって得られた音声符号を、適応多重化及び伝送路符号化することで、伝送路符号として、５１２ｂｉｔの信号をフレーム単位で伝達する。よって、通信用スロットとして、４スロットを使用する必要がある。
【０００９】
又、子局設備側の各拡声受信装置及び各戸別受信機に内蔵されたサイレン音源を吹鳴する仕組みとして、サイレン鳴動のための制御信号を制御スロットで送信し、その結果、各拡声受信装置及び各戸別受信機は、各々のサイレン音源を吹鳴する機能を有する。
【００１０】
【特許文献１】特開２００６−２４６３４８号公報
【非特許文献１】市町村デジタル同報通信システム  標準規格  ＡＲＩＢ  ＳＴＤ−Ｔ８６（社団法人  電波産業会）
【発明の開示】
【発明が解決しようとする課題】
【００１１】
従来の市区町村防災デジタル同報無線システムでは、拡声放送を行う際、６スロット中、制御チャネルを含め５スロットを使用しており、スロットに空きが無く、同時に１つの内容の放送しか行うことが出来なかった。
【００１２】
よって、同時に、拡声受信装置毎及び／又は戸別受信機毎に異なる内容の音声放送を行う必要がある場合には、回線が不足し、その様な音声放送を実施することが出来なかった。
【００１３】
しかも、各拡声受信装置及び各戸別受信機に内蔵された音源はサイレン音源のみであるため、拡声受信装置毎及び／又は戸別受信機毎に異なる内容の音声放送を行うことが出来なかった。
【００１４】
この発明は、上記の問題点を解決するために成されたものであり、その目的は、回線輻輳を回避して、拡声受信装置毎及び／又は戸別受信機毎に異なる内容の音声放送を実施可能な市区町村防災デジタル同報無線システムを提供することにある。
【課題を解決するための手段】
【００１５】
この発明の主題に係る市区町村防災デジタル同報無線システムは、操作卓と、前記操作卓からの指令に応じて制御信号を無線で出力する親局無線装置と、各々が、互いに異なる内容の音声情報を音声音源として収録する記憶装置を有する、複数の拡声受信装置とを備えており、前記複数の拡声受信装置の各々は、前記親局無線装置より受信した前記制御信号の制御チャネルに入力されている音声放送開始の指令を用いて、前記記憶装置に収録された音声音源を再生して音声放送を行うことを特徴とする。
【発明の効果】
【００１６】
本発明の主題によれば、回線不足を生じさせること無く、親局無線装置からの制御信号に応じて、拡声受信装置毎に、異なる内容の音声放送を行うことが出来る。
【００１７】
以下、この発明の主題の様々な具体化を、添付図面を基に、その効果・利点と共に、詳述する。
【発明を実施するための最良の形態】
【００１８】
（実施の形態１）
図１は、本実施の形態に係る市区町村防災デジタル同報無線システムの構成例を示すブロック図である。図１の同システムに於いて、親局装置側は、操作卓１及び親局無線装置２を有しており、子局設備側は、複数の拡声受信装置３，５及び複数の戸別受信機４，６より成る。尚、各拡声受信装置３，５は、親局装置側と交信可能な電話機等の通信装置（図示せず。）を有している。
【００１９】
操作卓１は、放送及び制御を行うための情報を同システムの管理者が入力するための入力装置であり、親局無線装置（親局送信機）２は、操作卓１から伝達された情報（放送）を符号化して無線により子局設備側へ送信する装置であり、両装置１，２は、基本的には、従来の市区町村防災デジタル同報システムに於ける操作卓及び親局無線装置と、同一の機能を有している。
【００２０】
又、遠隔制御装置７は、遠隔地より放送を行うために操作卓１を介して親局無線装置２に指令を入力する装置であり、地区遠隔制御装置８は、電話回線等により遠隔地から放送を行うために操作卓１を介して親局無線装置２に指令を入力する装置である。尚、遠隔制御装置７及び地区遠隔制御装置８は、必要に応じて、複数設置される。
【００２１】
拡声受信装置３，５は、親局無線装置２からの情報（放送）を受信して、地域住民に対して、内蔵する拡声スピーカ（図示せず。）によって、拡声放送を行うための装置であり、市区町村内全域に設置される。そして、各拡声受信装置３，５は、音声を録音可能なメモリ装置（音声音源）３１，５１を、記憶装置の一例として有している。又、戸別受信機４，６は、各戸等に設置されており、親局無線装置２からの情報（放送）を受信して、内蔵する拡声スピーカ（図示せず。）によって各戸の世帯に拡声放送を行うための装置である。各戸別受信機４，６は、音声を録音可能なメモリ装置（音声音源）４１，６１を、記憶装置の一例として有している。各メモリ装置３１，４１，５１，６１内に音声を録音する方法としては、工場出荷時に書き込む、現地でデータをダウンロードする、或いは、親局からのエアーダウンロードにより書き換える等の方法が考えられる。その際、各メモリ装置３１，４１，５１，６１内には、各々異なる内容の音声情報が録音される。そして、操作卓１からの指令に基づき、親局無線装置２から送出される制御信号の制御チャネル内に入力されている音声放送開始の指令に応じて、拡声受信装置３，５及び戸別受信機４，６の各々は、対応するメモリ装置３１，５１，４１，６１内の音声音源に録音された音声信号を読み出し、当該音声信号を再生することによって、当該音声信号の音声放送を実行する。
【００２２】
勿論、各拡声受信装置３，５及び各戸別受信機４，６は、従来の場合と同様に、サイレン音源（ここでは図示せず。）を有している。
【００２３】
尚、音声放送開始及び音声放送停止の手段としては、例えば、市町村防災デジタル同報通信システムに於いて規定されているサイレン通報開始指示及びサイレン通報解除指示の各々の制御チャネルを代用して用いれば良い。
【００２４】
以上の構成を有する本実施の形態に係る市区町村防災デジタル同報無線システムを採用する場合には、拡声受信装置毎及び戸別受信機毎に異なる内容の音声放送を行うことが可能となる。例えば、地区毎に異なる避難場所を示す音声を情報として各メモリ装置３１，４１，５１，６１内に録音しておくことにより、災害発生時に、瞬時に、各地区に対応した避難場所情報を対応する拡声受信装置及び戸別受信機から拡声放送することが可能となる。
【００２５】
（実施の形態２）
本実施の形態に係る市区町村防災デジタル同報無線システムは、基本的に、図１のシステム構成を援用するが、本実施の形態では、各拡声受信装置及び各戸別受信機の構成が図１の場合とは相違する。この点は、後述する実施の形態３の場合でも同等である。
【００２６】
図２は、本実施の形態に係る市区町村防災デジタル同報無線システムに於いて採用される各拡声受信装置の構成を示すブロック図である。図２では、図１の各拡声受信装置３，５のメモリ装置（単一の音声音源を構成する。）３１，５１を、複数の音声を録音可能なメモリ装置３２に置き換えている。即ち、図２に例示する様に、拡声受信装置３のメモリ装置３２は、放送内容Ａに対応した音声を録音している音声音源１、放送内容Ａとは異なる放送内容Ｂに対応した音声を録音している音声音源２、放送内容Ａ及びＢとは異なる放送内容Ｃに対応した音声を録音している音声音源３等を、その記憶領域内に有している。本実施の形態では、各拡声受信装置３が有する複数の音声音源は、全体としての観点から見たときに、個別に異なっていれば良い。例えば、ある拡声受信装置３の音声音源Ａと他のある拡声受信装置３の音声音源Ａとでは互いにその音声内容が相違しているが、ある拡声受信装置３の音声音源Ｂと他のある拡声受信装置３の音声音源Ｂとは互いにその音声内容が同一である場合であっても、全体としては、両拡声受信装置３が有する複数の音声音源は、音声情報としては、互いに相違していると言える。
【００２７】
又、図３は、本実施の形態に係る市区町村防災デジタル同報無線システムに於いて採用される各戸別受信機の構成を示すブロック図である。図３では、図１の各戸別受信機４，６のメモリ装置（単一の音声音源を構成する。）４１，６１を、複数の音声を録音可能なメモリ装置４２に置き換えている。即ち、図３に例示する様に、戸別受信機４のメモリ装置４２は、放送内容Ａに対応した音声を録音している音声音源１、放送内容Ｂとは異なる放送内容Ｂに対応した音声を録音している音声音源２、放送内容Ａ及びＢとは異なる放送内容Ｃに対応した音声を録音している音声音源３等を、その記憶領域内に有している。本実施の形態では、各戸別受信機４が有する複数の音声音源は、全体としての観点から見たときに、個別に異なっていれば良い。例えば、ある戸別受信機４の音声音源Ａと他のある戸別受信機４の音声音源Ａとは同一であるが、ある戸別受信機４の音声音源Ｂと他のある戸別受信機４の音声音源Ｂとは互いに音声内容が異なっている様な場合が、想定される。
【００２８】
勿論、各拡声受信装置３及び各戸別受信機４は、従来の場合と同様に、サイレン音源（ここでは図示せず。）を有している。
【００２９】
図４は、図２に例示した、複数の音声を録音可能なメモリ装置３２を主たる構成要素として含む拡声受信装置３の構成例を模式的に示すブロック図である。図４に於いて、アンテナ３９は、親局無線装置２から送信されて来た電波を受信する。受信部３８は、アンテナ３９で受信した電波を復調しデータを復調する機能部である。制御装置３７は、受信部３８で復調されたデータに応じて、複数のサイレン音源から成るサイレン音源３３及び複数の音声を記憶するメモリ装置３２の何れか一方を制御して、サイレン音源３３のサイレン音信号又はメモリ装置３２から読み出して出力される音声信号を、音声コーデック３４に送出する機能部である。音声コーデック３４は、サイレン音源３３の中から選択されて出力される何れか１つのサイレン音源のデジタルデータ、又は、メモリ装置３２から選択・出力される何れか１つの音声音源のデジタルデータを、アナログのサイレン音信号又はアナログの音声信号に変換する装置である。増幅器３５は、音声コーデック３４が出力するアナログのサイレン音又はアナログ音声を増幅して、拡声スピーカ３６を駆動する部分である。拡声スピーカ３６は、アナログのサイレン音又はアナログ音声放送を送出する。
【００３０】
従来の市区町村防災デジタル同報無線システムに於いて採用されている拡声受信装置に於いては、親局無線装置からの制御により放送可能な音源は、サイレン音源３３のみであった。しかし、本実施の形態に係る市区町村防災デジタル同報無線システムに於いては、複数の音声をその記憶領域内に録音可能なメモリ装置（記憶装置の一例）３２を、サイレン音源３３に加えて、拡声受信装置３内に実装することで、親局無線装置２からの制御に応じて、拡声受信装置３からその周辺住民に対して、複数種類の音声放送をも提供することが可能になる。
【００３１】
メモリ装置３２を制御する一つの例として、音声放送開始及び音声放送停止の各々の手段には、例えば、市町村防災デジタル同報通信システムに於いて規定されているサイレン通報開始指示及びサイレン通報解除指示の各々の制御チャネルを代用すれば良い。
【００３２】
尚、本実施の形態に係る市区町村防災デジタル同報無線システムに於ける、図３に例示された構成を有する各戸別受信機４もまた、図４と同様の構成を備えている。
【００３３】
図５は、各拡声受信装置３に於いて、図４のメモリ装置３２内に録音されている複数の音声音源の中から地域住民に対して拡声すべき音声を選択して再生する手順を示すフローチャートである。先ず、同システムの管理者は、操作卓１より、各拡声受信装置３で再生する放送内容の番号（ｎ）（以下「放送番号（ｎ）」と言う。）を入力する。親局無線装置２は、操作卓１より入力された放送番号（ｎ）を示す指令信号及び音声放送開始指令の信号を、同一回線上で送信する制御信号の制御チャネル内に入力し（例えば、図６のフレーム構成例を参照。図６の例では、チャンネルＣＨ３以外のチャンネルが親局の操作卓１と拡声受信装置の電話機等の通信装置との間の交信の通話信号で使用されているため、空いているチャンネルＣＨ３を制御チャネルとして、当該チャンネルＣＨ３内に、各拡声受信装置３に対して放送番組（ｎ）に対応する音声放送を開始する様に指令する信号が入力されている。）、送信信号の変調を行った上で、無線を用いて、各拡声受信装置３に制御信号を伝送する。各拡声受信装置３は受信信号の復調を行い、制御チャネルから放送番号（ｎ）の情報及び音声放送開始指令を抽出する。そして、各拡声受信装置３は、抽出した放送番号（ｎ）に対応した音声音源を、メモリ装置３２の記憶領域から読み出し、読み出した音声の再生を行い、拡声スピーカ３６を通じて、地域住民に対して拡声放送を行う。
【００３４】
図７は、ある拡声受信装置３に於けるメモリ装置３２に収録する音声音源の更新方法の１例を示すフローチャートである。図７に於いて、本システムの管理者は、操作卓1を用いて、ある拡声受信装置３のメモリ装置３２のｎ番目の音声音源に対応した音源の録音を行う。音源は操作卓1で収録する必要性は無く、別途収録してある音源を利用することも出来る。更に、管理者は、操作卓1を用いて、ｎ番目の音声音源を更新する対象の子局番号（ｉ）を入力する。その後、親局無線装置２は、収録した音源、放送番号（ｎ）及び子局番号（ｉ）をデータ伝送のフォーマットに変換した上で変調を行い、無線を用いて各拡声受信装置３に伝送する。その結果、各拡声受信装置３は、受信した信号の復調を行い、自局が音声音源の更新に対応した子局番号（ｉ）の局であるか否かの判定を行う。自局が更新に対応した局である場合には、当該拡声受信装置３は、放送番号（ｎ）に対応したメモリ装置３２内の音声音源の更新（音声音源の書き換え）を行う。
【００３５】
尚、図４、図５及び図７では拡声受信装置の場合について記載しているが、その構成・音声再生手順及び収録する音声音源の更新手順は、既述の通り、図３の戸別受信機４についても同様に当てはまる。
【００３６】
以上に記載した本実施の形態に係る市区町村防災デジタル同報無線システムによれば、親局無線装置からの制御信号により、拡声受信装置毎、戸別受信機毎に複数記録された放送内容を選択して、音声放送を行うことが可能となる。例えば、災害種別毎に非難場所が異なる場合、より具体的には、地震と津波とでは避難場所が通常は異なるので、地震の場合には音声メモリの１番を音声放送する指令を出して放送内容Ａを放送する一方、津波の場合には音声メモリの２番を音声放送する指令を出すことによって放送内容Ｂを放送することによって、場合に応じて緊急に全子局及び全戸別に対して一斉放送する内容を選択することが出来る。
【００３７】
（実施の形態３）
図８は、本実施の形態に係る市区町村防災デジタル同報無線システムに於ける各拡声受信装置の構成例を示すブロック図である。図８と図４との比較により理解される通り、本実施の形態の各拡声受信装置に於いては、図４で例示した実施の形態２に於ける制御装置３７とメモリ装置３２及びサイレン音源３３との間に、選択部３０１が設けられている。
【００３８】
図９は、本実施の形態を説明するための図である。図９に示す様に、ア）火事の発生時には、拡声受信装置Ａ，Ｂ，Ｃ，Ｄ共に音声音源1の音声を放送し、イ）地震の発生時には、拡声受信装置Ａ，Ｃは音声音源１の音声を放送する一方、拡声受信装置Ｂ，Ｄは音声音源２を放送し、ウ）津波の発生時には、拡声受信装置Ａ，Ｂは音声音源１の音声を放送する一方、拡声受信装置Ｃ，Ｄは音声音源２の音声を放送する場合を、想定する。この場合に於いて、実施の形態２の方法では、再生する音声音源番号を直接に親局無線装置２から送信していたため、親局無線装置２は、災害の種類に応じて、各拡声受信装置３で放送する音声音源の番号を個別に送信する必要があった。このため、送信回数が増加し、放送開始の遅延が発生する可能性があった。その回避方法として、図９の例に基づけば、拡声受信装置Ａは音声音源１を火事用、地震用及び津波用に３つ記録する方法が考えられる。しかし、この方法は、３倍のメモリ容量を必要とするので、ハードウェアの増加を招く。
【００３９】
そこで、本実施の形態に於いては、各拡声受信装置３内に選択部３０１を実装し、図９の例では、拡声受信装置Ａは、その選択部３０１によって、火事、地震及び津波の何れの時に於いても、音声音源1を選択することによって、音声音源１の音声を再生する。これに対して、拡声受信装置Ｂは、その選択部３０１によって、火事及び津波の場合には音声音源1を選択して音声音源１の音声を再生・放送する一方、地震の場合には、その選択部３０１によって音声音源２を選択して音声音源２の音声を再生・放送する。この様に、拡声受信装置３内に、予め設定された、拡声パターンと当該拡声受信装置の記憶装置が記憶している音声音源との対応関係を規定する変換テーブル（例えばルックアップテーブル）３０１Ｔを備える選択部３０１を実装することで、実施の形態２の方法と比較して、通信容量の削減化及び拡声受信装置のメモリ容量の削減化を図ることが出来る。
【００４０】
図１の操作卓１から地震、津波、或いは火事等を示す拡声パターンＮｏ．が入力され、親局無線装置２は、操作卓１から入力された拡声パターンＮｏ．を示す信号を、制御信号のフレーム内の制御チャネルに、音声放送開始指令と共に入力して、無線で送信し、図８のアンテナ３９は当該制御信号を受信する。そして、図８の制御装置３７は、受信した制御信号から拡声パターンＮｏ．を示す信号及び音声放送開始指令信号を抽出し、拡声パターンＮｏ．を与える信号を選択部３０１へ出力する。選択部３０１は、制御装置３７から出力された拡声パターンＮｏ．を、その変換テーブル３０１Ｔに基づき音声音源Ｎｏ．に変換する。例えば、選択部３０１は、拡声パターン1の時には音声音源1を選択し、拡声パターン２又は３の時には音声音源２を選択する。選択部３０１は、変換テーブル３０１Ｔから出力された音声音源Ｎｏ．に該当する音声音源をメモリ装置３２の記憶領域から読み出して出力し、音声コーデック３４はメモリ装置３２から出力されたデジタル音声をアナログ音声へと変換する。増幅器３５は音声コーデック３４の出力を増幅し、スピーカ３６はメモリ装置３２より出力された音声音源Ｎｏ．の音声信号の拡声放送を行う。
【００４１】
尚、以上に於いては拡声受信装置の場合について記載しているが、同様の変換テーブルを有する選択部を各戸別受信機内の制御装置と記憶装置との間に実装することで、戸別受信機に関しても同様の作用・効果が得られることは、勿論である。
【００４２】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【図面の簡単な説明】
【００４３】
【図１】この発明の実施の形態１に係る市区町村防災デジタル同報無線システムの構成例を示すブロック図である。
【図２】この発明の実施の形態２に於ける拡声受信装置の構成例を模式的に示す図である。
【図３】この発明の実施の形態２に於ける戸別受信機の構成例を模式的に示す図である。
【図４】この発明の実施の形態２に係る拡声受信装置の内部構成例を示すブロック図である。
【図５】この発明の実施の形態２に係る市区町村防災デジタル同報無線システムの各拡声受信装置に於いて、複数の音声音源の中から拡声すべき音声を再生する手順を示すフローチャートである。
【図６】この発明の市区町村防災デジタル同報無線システムのフレーム構成例を示す図である。
【図７】この発明の実施の形態２に係る市区町村防災デジタル同報無線システムのある拡声受信装置３に於けるメモリ装置に収録する音声音源の更新方法の１例を示すフローチャートである。
【図８】この発明の実施の形態３に係る拡声受信装置の内部構成例を示すブロック図である。
【図９】この発明の実施の形態３の内容を説明するための図である。
【図１０】従来の市区町村防災デジタル同報無線システムのフレーム構成例を示す図である。
【符号の説明】
【００４４】
Ａ  フレーム構成、１  操作卓、２  親局無線装置、３  拡声受信装置、３１  メモリ装置、３２  メモリ装置、３３  サイレン音源、３４  音声コーデック  ３５  増幅器  ３６  拡声スピーカ、３７  制御装置、３８  無線受信部、３９  アンテナ、３０１  選択部、３０１Ｔ  変換テーブル、４  戸別受信機、４１  メモリ装置、４２  メモリ装置、５  拡声受信装置、５１  メモリ装置、６  戸別受信機、６１  メモリ装置、７  遠隔制御装置、８  地区遠隔制御装置。
【図１】
2009296205.tif 000003
【図２】
2009296205.tif 000004
【図３】
2009296205.tif 000005
【図４】
2009296205.tif 000006
【図５】
2009296205.tif 000007
【図６】
2009296205.tif 000008
【図７】
2009296205.tif 000009
【図８】
2009296205.tif 000010
【図９】
2009296205.tif 000011
【図１０】
2009296205.tif 000012